(57)【特許請求の範囲】
【請求項１】
複数人のマスク装着者のマスク内面と口および鼻腔のマスク間隙空間に、大規模施設外の外部空気を除菌して得られた除菌済み外部空気を送出する大規模施設用送風システムにおいて、
大規模施設の管理者の管理範囲内に設置され、施設外の外部空気取入口（１７D）から外部空気を取り入れ、少なくとも家庭用マスクあるいは医療用高性能除菌マスクと同程度のウイルス除去性能を有する使い捨て除菌フィルター（１７A）で除菌し、該除菌済み外部空気を送出する送風部本体（１０）と；
送風部本体（１０）と通風状態で予め接続し、前記除菌済み外部空気を大規模施設内の複数の座席近傍に設置した複数の送風チューブ接続口（３１）へ送出する固定送風パイプ（３０）と；
各座席に座ったマスク装着者自身が一端を前記送風チューブ接続口（３１）に挿入し、他端をマスクと顎の間から差込み、口元に至る顔面形状に沿うように滑らせて口および鼻腔の間のマスク間隙空間へ挿入し、マスク装着者個々人が個別に前記除菌済み外部空気を該マスク間隙空間へ導入して、マスク装着者の吸気全部に相当する除菌済の外部空気を供給する屈曲自在な送風チューブ（２０）；とで構成したことを特徴とする大規模施設用送風システム（１）。
【請求項２】
前記大規模施設には、観光バス、電車や航空機、学校の教室や大規模事務所、映画館やコンサートホール、パチンコ店、野球場やサッカー場、等の不特定多数が参集し３密（密閉、密集、密接）になり易い場所や施設が含まれることを特徴とする請求項１記載の大規模施設用送風システム（１）。
【請求項３】
前記送風チューブ（２０）が、前記大規模施設の管理者が予め座席に座った複数のマスク装着者へ配布した使い捨て送風チューブ、または各マスク装着者のMy送風チューブであることを特徴とする請求項１記載の大規模施設用送風システム（１）。
【請求項４】
前記送風チューブ（２０）が、装着したマスク端の顔面に対する押圧力で押圧保持することが可能であって、更に先端の空気噴出口（２１）を前記マスク間隙空間の適切な位置に緩く固定することが可能であることを特徴とする請求項１記載の大規模施設用送風システム（１）。
【請求項５】
前記差込まれた送風チューブ（２０）から送出された外部空気の送風圧により、装着するマスク内面を口および鼻腔から離れる方向に膨らませて、マスク内面が顔面に直接接触する接触面を減少させるのに好適な送風量に微調整する制御部（風量調節つまみ）（１２）を前記送風部本体（１０）に具備することを特徴とする請求項１記載の大規模施設用送風システム（１）。
【請求項６】
前記送風部本体（１０）の送風出口に、エアコン部（１８A）、イオン発生部（１８B）、殺菌灯（１８C）、そしてオゾン発生器（１８D）、のいずれかを設置して、冷涼かつ高度に殺菌された外部空気を送出するように構成したことを特徴とする請求項１記載の大規模施設用送風システム（１）。
【請求項７】
ネック固定子（２２）により送風チューブ（２０）の先端部をマスク（１００）内で安定的に緩く固定することが可能であるネック式送風チューブ（２０A）で、前記送風チューブ（２０）を構成したことを特徴とする請求項１記載の大規模施設用送風システム（１）。
【請求項８】
マスク（１００）内に収納したインナーフレーム・ユニット（２０B-4）により、送風チューブ（２０）の先端部を安定的に緩く固定することが可能であるインナーフレーム式送風チューブ（２０B）で、前記送風チューブ（２０）を構成したことを特徴とする請求項１記載の大規模施設用送風システム（１）。
【請求項９】
マスク（１００）内に収納した紐カニューレ・ユニット（２５）を送風チューブ（２０）に接続し、該紐カニューレ・ユニットの空気噴出チューブ（２４）には複数個の空気噴出口群（２６）を有する紐カニューレ式送風チューブ（２０C）で、前記送風チューブ（２０）を構成したことを特徴とする請求項１記載の大規模施設用送風システム（１）。
【請求項１０】
マスク（１００）内に収納した耳カニューレ・ユニット（２８）を送風チューブ（２０）に接続し、該耳カニューレ・ユニットの空気噴出カニューレ（２７）には複数の空気噴出口群を有する耳カニューレ式送風チューブ（２０D）で、前記送風チューブ（２０）を構成したことを特徴とする請求項１記載の大規模施設用送風システム（１）。
【発明の詳細な説明】
【技術分野】
【０００１】
本発明は大規模施設内に参集する多人数のマスク使用者のマスク間隙空間に、ウイルス除去済の外部空気を供給する大規模施設用送風システムに関する。具体的には、顔面に装着したマスク内面と唇および鼻腔の間隙空間に、使い捨て除菌フィルターを通した除菌済み外部空気を送出して、この間隙空間に籠ったマスク使用者自身の呼気を積極的に排除し、かつマスク使用者自身の吸気を供給するマスク使用者のための大規模施設用送風システムに関する。なお本発明で指称する「マスク」とは、一般社団法人 日本衛生材料工業連合会が分類する、１）カゼ、花粉対策や防寒・保湿などの目的で日常に使われる「ガーゼタイプ」や「不織布タイプ」の家庭用マスク、２）主に医療現場もしくは医療用に使用される感染防止用マスクで、外科手術などの際に使われる医療用マスクが含まれる。また「大規模施設」とは、例えば観光バス、電車や航空機、学校の教室や大規模事務所、映画館やコンサートホール、パチンコ店、野球場やサッカー場、等の不特定多数が参集し３密（密閉、密集、密接）になり易い場所や施設を含む広い概念である。更にまた「外部空気」とは、多数人が参集しない３密空間外から供給される「施設外空気」を意味し、例えば観光バスでは乗客の呼気（排気）から隔絶された「車外空気」、野球場では観客席から離れた観客の呼気が浮遊しない観客席外から吸気された「観客席外空気」、等を意味する。本願発明は、同一発明者、同一出願人に係る特願2020-106653（マスク用の小型送風装置）、および特願2020-127483（マスク用の送風装置）の関連発明である。
【背景技術】
【０００２】
昨今の新型コロナウイルス対策として、不織布製使い捨てマスク、ガーゼ製マスク、手造りマスク等が広く使用されている。このマスクの欠点は、１）大規模施設内の既存の空調施設では、もし施設内にウイルス保菌者が一人でも居れば、空調により逆にウイルスの館内拡散が起こりやすい、２）マスク内面と唇および鼻腔の間のマスク間隙空間に、マスク装着者自身の呼気（口からの排気）が籠もりやすい、３）マスク内面が、唇および鼻腔と直接接触するため不潔になりやすい、等の欠点を有していた。例えば観光バスや映画館等の密接空間で長時間にわたり椅子に座り続ける場合等には、この欠点が顕著にみられるという問題があった。ただし実際の観光バスや航空機の最新型空調装置では、高性能除菌フィルターが既に使用されており、0.3マイクロメータ程度の異物なら99.97%以上除去可能とされている。また乗客が装着する一般的な不織布マスクの網目間隙は、唾液等の飛沫と略同一の約5マイクロメートルであるため、性能的にはこれ等の飛沫は不織布マスクでも防御可能である。しかしながらコロナウイルス等は0.1マイクロメータ程度の小ささであるため、N95マスク等の高性能除菌フィルターでも完全に捕捉することは難しい。なお一方では観光バスの車内の空気が完全に入れ替わるのに最新機材でも約５分、航空機でも約３分程度の時間を要する。このため上記高性能除菌フィルターで捕捉されない0.1マイクロメータ程度のエアロゾル・コロナウイルス等は、少なくともこの時間内は内部空間を自由に浮遊し、乗客は防ぐ手段が無いのが実情である。こうした理由により、マスクを装着していてもウイルス保菌者と座席が隣接する乗客が、車内や機内で集団感染する事例も現実に既に起きている。
【０００３】
一方、航空機では緊急事態発生により客室内に十分な酸素が供給できなくなった場合には、機内空気とは無関係に酸素を自動生成して、各乗客にその生成した酸素を供給する酸素マスクが自動的に天井から下りくるシステムが昔から導入されている。しかしながらこの酸素マスクの供給システムは、内部で発生させた酸素をカップ状のマスクから短時間だけ供給するものであり、例えばバスの乗客に長時間に渡りウイルス除去済の外部空気を、乗客のマスク内面と唇および鼻腔の間のマスク間隙空間に供給する本願発明に係る大規模施設用送風システムとは根本的に異なる。
【０００４】
一方、マスク間隙空間にフィルター済の外部空気を送出する手段として、特開2005-165242号（粉塵防止器具）の第２実施例には、キャップに取り付けられた粉塵防止装置からの清浄空気を粉塵防止マスクへ供給する構成が開示されている。また特開2016-202309（携帯式エアポンプ付きマスク、及び携帯式エアポンプ付設用マスク）にも、HEPAフィルター（HEPA規格の不織布）を介して0.3マイクロメータ以上の粒子を除去した清浄空気をマスク内へ供給する構成が開示されている。しかしながらこれ等のマスクでも、観光バス等の大規模施設内を自由浮遊する0.1マイクロメータ程度のエアロゾル・コロナウイルス等を、乗客が防ぐ手段が無いのが実情である。この他、米国公開公報US2014-0261428(RESPIRATORY FILTER DEVICE（呼吸フィルター装置）)、中国公開公報第110841209（携帯型濾過通気手段）でも、同様にエアロゾル・コロナウイルス等を完全には防御することはできない。
【先行技術文献】
【特許文献】
【０００５】
【特許文献１】特開2005-165242号公報
【特許文献２】特開2016-202309号公報
【特許文献３】特開2019-163556号公報
【特許文献４】米国特許公開公報US2014-0261428号公報
【特許文献５】中国特許公開公報0841209号公報
【発明の概要】
【発明が解決しようとする課題】
【０００６】
密接空間である観光バスや映画館等の大規模施設内を自由浮遊する0.1マイクロメータ程度のエアロゾル・コロナウイルス等を、乗客や観客が家庭用不織布マスクはもとより、N95マスク等の医療用高性能除菌マスクを使用しても、完全には防ぐ手段が無いのが実情である。またマスク内面が唇および鼻腔と直接接触しないように、マスク内面を適度な送風圧（正圧）により外側へ膨らませる送風システムが無い点である。
【課題を解決するための手段】
【０００７】
本発明はマスク装着者のマスク内面と唇および鼻腔の間のマスク間隙空間に、除菌済み外部空気（例えば観光バスの例では、車内空気とは完全に隔絶された車外空気）を送出するマスク用の大規模施設用送風システムを開示する。そしてその具体的構成は、(i)少なくとも家庭用マスクあるいは医療用高性能除菌マスクと同程度のウイルス除去性能を有する使い捨て除菌フィルターを通した外部空気（車外空気、観客席外空気等）を送出する送風部本体と、(ii)上記使い捨て除菌フィルターを通した外部空気を、各客席近傍に固定配置されている送風チューブ接続口まで供給する固定送風パイプと、(iii)上記送風チューブ接続口へ差込み、他端をマスク間隙空間へ外部空気を送風する送風チューブで構成される。すなわち各乗客や観客は、手元の送風チューブの一端を送風チューブ接続口へ差込み、他端を自分のマスク内面と唇および鼻腔の間のマスク間隙空間に自分で差込む。これにより送風部本体から送出されるのは車外空気あるいは観客席外空気（除菌フィルター済）であり、車内空気や観客席空気とは完全に隔絶されたウイルス・フリーの空気がマスク内の間隙空間へ導かれる。この送風チューブは、屈曲自在かつ装着したマスク端の顔面に対する押圧力で押圧保持することが可能である。そして差込まれた送風チューブ先端の空気噴出口から噴出されるウイルス・フリーの外部空気（車外空気、観客席外空気等）を、各乗客は吸気できるように構成されている。
【発明の効果】
【０００８】
車内や施設内に仮にコロナウイルス菌の感染者が混在していたとしても、送風チューブ接続口からは車内空気とは完全に隔絶された車外空気が送風されるため、乗客や施設入場者は、ウイルス・フリーの空気を吸気できる利点がある。また自分の呼気がそのマスク間隙空間に籠らず爽快感を得ることが可能であり、特に暑い夏には効果大である。また供給される外部空気量をマスク装着者自身が自分で微調整し適度の送風圧にすれば、この送風圧により装着するマスク内面を、内面から外面に向かって唇および鼻腔から離れるように適度に膨らますことが出来るので、マスク内面が唇および鼻腔に直接接触する接触面を減少させて、マスク内面を常に清潔に使用することが出来る利点を有する。なお密接空間である観光バスや映画館等の大規模施設で本願発明に係る大規模施設用送風システムを導入すれば、除菌された外部空気が各乗客や入場者へ提供されるため、いわゆるソーシャル・ディスタンス確保による乗客人数や入場人数の減少をカバーし、より多くの人員を乗車、収容できるため経営効率を大幅に向上させることが可能となる。
【図面の簡単な説明】
【０００９】
【図１】図１は本願発明に係る大規模施設用送風システムを観光バスに応用した場合のイメージ図である。
【図２】図２は本願発明に係る大規模施設用送風システムを観光バスに応用した場合の概念構成図である。
【図３】図３は送風部本体の構成を示す概念図である。
【図４】（A）はファン型送風部本体のブロック図であり、（B）はブロワ型送風部本体のブロック図である。
【図５】図５はネック式送風チューブの正面装着図である。
【図６】図６（A）はインナーフレーム・ユニットを装着したインナーフレーム式送風チューブの正面装着図であり、（B）は断面斜視図である。
【図７】図７（A）は紐カニューレ・ユニットを装着した紐カニューレ式送風チューブの正面装着図であり、（B）はマスク内の紐カニューレ・ユニットを示す概念図である。
【図８】図８は耳カニューレ・ユニットを装着した耳カニューレ式送風チューブの正面装着図である。
【発明を実施するための形態】
【００１０】
図１は本願発明に係る大規模施設用送風システム１を観光バスに応用した場合、乗客が如何にしてバス車外の外部空気を取入れるかを示すイメージ図である。各乗客は各自のマスク１００を装着していることを前提とする。そして乗客は、実施例１に係る送風チューブ２０の一端を客席近傍に配置されている送風チューブ接続口３１に挿入し、他端を自分が装着したマスク内に挿入する。この例では送風チューブ接続口３１は前席の背もたれに設けられているが、他の例では自席の肘掛や荷物棚の天板に設置してもよい。設置されている送風チューブ接続口３１には、後述の様に使い捨て除菌フィルターを通したバス車外の外部空気が送られる。従って送風チューブ接続口３１に挿入した送風チューブ２０から乗客のマスク内に車内空気とは隔絶されたウイルス・フリーの外部空気が送られるため、たとえ他の乗客の中に例えばコロナ患者が同乗していても、そのウイルスを他の乗客が吸気することはない。なおマスク１００と送風チューブ２０は、上記引例特開2005-165242号とは異なり、完全に相互に独立しているため容易に着脱可能である。また送風チューブ２０には例えば屈曲自在かつ軽量の塩化ビニール樹脂を用いられ、送風チューブ２０は顎から口元に至る顔面形状に沿うように滑らせて口および鼻腔の間のマスク間隙空間へ挿入可能であり、かつその形状を維持できる素材を用いる。この様に適度の屈曲性ある軽いチューブ素材を選択すれば、装着したマスク端の顔面に対する押圧力でこの挿入された送風チューブ２０を押圧保持することが可能である。これにより送風チューブ２０の先端である空気噴出口２１を、マスク間隙空間の適切な位置に緩く固定することが可能である。またチューブ先端が塞がれないように、必要により空気噴出口２１には、空気を拡散させる多孔質の空気拡散部材を装着してもよい。乗客にはこの様に送風チューブ２０を経由して外部空気がマスク内に常に供給されるため、車内に浮遊するかもしれないウイルスを吸入する恐れが無いばかりか、マスク内に自己の呼気（排気）が籠るのを防止することが可能である。なお送風チューブ２０の先端である空気噴出口２１を覆うマスク１００は、不自然に角張ることなく、外見上は送風チューブ２０の存在は外部からは視認されず、ごく自然な装着感を得ることが可能となる。
【００１１】
図２は本願発明に係る大規模施設用送風システム１を観光バスに応用した場合の構成を示す概念構成図である。こうした大規模施設において、本願発明に係る大規模施設用送風システム１をシステム管理者（例えば観光バスの運転手やコンサートホールのホールマネージャー）の管理範囲内に配置し、多数の乗客や観客のマスク内に除菌済み外部空気を提供することが可能である。すなわち図中上方が観光バスの前方であり、大規模施設用送風システム１は、１）送風部本体１０、２）各乗客が利用する複数の送風チューブ２０、３）送風部本体と送風チューブを通風状態で接続する固定送風パイプ３０、で構成する。すなわち外部空気が送風部本体１０から、固定送風パイプ３０を経由して、各客席近傍（例えば前席の背部、または自席の肘掛）の送風チューブ接続口３１まで送風し、各乗客の送風チューブ２０により各乗客のマスク間隙空間に供給される。これにより各乗客は、車内空気とは完全に隔絶された外部空気（車外空気）のみを吸気することになる。
【００１２】
以下に送風部本体１０の各モジュールについて説明する。図３には送風部本体１０の概念図が示されている。図３に示す外部空気取入口１７Dは、図２に示すように例えば観光バスの車外前部に固定設置されている。外部空気取入口１７Dの内部には従来例に係る粉塵フィルターが取付けられており、この粉塵フィルターを通した外部空気が外気取入管１７Cを介して車内の運転手席近くに設置された除菌フィルターボックス１７Bへ送られる。除菌フィルターボックス１７Bはヒンジで開閉自在であり、内部には少なくとも一般の家庭用マスクと同一の除菌フィルター、或いはN95マスク等の医療用高性能除菌マスクと同程度あるいはそれ以上の除菌性能がある使い捨て除菌フィルター１７Aを内蔵する。そして外部空気は、この使い捨て除菌フィルター１７Aで除菌されて、図２に示すように固定送風パイプ３０を介して各客席近傍に設置された複数個の送風チューブ接続口３１へ送風される。前述の様に各乗客は送風チューブ２０をこの送風チューブ接続口３１へ挿入して、除菌済の外部空気を自己のマスク間隙空間へ導入する。これにより乗客は3密状態にある車内空気とは完全に隔絶された車外空気を吸気することが可能となり、また自己の呼気を積極的にマスク外に排除することが可能である。なお除菌フィルターボックス１７Bは、乗客が乗降する際に視認できる出入口ドアー付近の位置に設置して、乗客に対しバス会社が、使い捨て除菌フィルター１７Aでフィルター処理されている外部空気を乗客に供給している事実を告知できるようにすれば、乗客に安心感を与えるという営業ツールとして活用することも出来る。また使い捨て除菌フィルター１７Aは、例えば運転手の管理アイテムとし、運転手が例えば毎日の乗勤時にルーチン的に交換する。更にまた上記除菌フィルターボックス１７Bを透明カバーとし、乗客が使い捨て除菌フィルター１７Aを直接視認できるように構成してもよい。
【００１３】
上述の固定送風パイプ３０は、図２に示すように既存の観光バスの床下または車内の床面にも追加設置することは可能であり、送風チューブ接続口３１も例えば客席の肘掛のみを交換して肘掛に追加設置することは可能であるため、この大規模施設用送風システム１を既存の観光バスに追加設置することは比較的容易である。また他の大型施設、例えば電車、学校の教室や大規模事務所、映画館やコンサートホール、パチンコ店、野球場やサッカー場、等においても同様に、既存設備に対して固定送風パイプ３０と送風チューブ接続口３１の追加設置は比較的容易に行うことが出来る。
【００１４】
送風部本体１０のうちで、図４（A）には送風部本体（ファン型）１０Aのブロック図と、図４（B）には送風部本体（ブロワ型）１０Bのブロック図が示されている。この１０Aと１０Bは、夫々一般のファン型送風器や、小魚へ空気泡を供給する水槽用ブロワと比較して、外部空気取入口１７Dの位置、使い捨て除菌フィルター１７A、エアコン部１８A、イオン発生部１８B、殺菌灯１８C、そしてオゾン発生器１８Dの追加設置、以外は、大差無い構成であるので詳述は省略する。すなわち前者の送風部本体（ファン型）１０AのAC電源部１１、制御部（風量調節つまみ）１２、ファン部１４は、従来例に係る粉塵防止用の送風器の構成と略同一である。本願発明が従来例に係る粉塵防止用の送風器と異なるのは、使い捨て除菌フィルター１７Aが、一般の家庭用マスクと同一の除菌フィルター、或いはN95マスク等の医療用高性能除菌マスクと同程度あるいはそれ以上の除菌性能がある使い捨て除菌フィルターを使用している点である。すなわち従来技術に係る送風器で用いられているフィルターは、上記引例特開2005-165242号のように、主として異物混入防止の観点から異物除去フィルターが用いられているが、本願発明の送風器本体１０Aではウイルス除去という異なる観点から使い捨て除菌フィルター１７Aが用いられている。なお一般にN95マスク等の医療用高性能除菌マスクを装着すると、不織布の密度が高いため息苦しく感じるが、上述のように装着するマスクとは別筐体の送風部本体１０にN95マスク等の医療用高性能除菌マスクと同程度あるいはそれ以上の除菌性能がある使い捨て除菌フィルター１７Aを装着し、マスク装着者は一般の家庭用マスクを装着する構成となっているため、マスク装着者は息苦しさを解消することができる利点を有する。
【００１５】
なお使い捨て除菌フィルター１７Aで除菌されファン部１４により強制的に一定の風圧を掛けられた外部空気は、必要により送風出口近傍に設置されたエアコン部１８A、イオン発生部１８B、殺菌灯１８C、そしてオゾン発生器１８Dで、更に冷涼かつ高度に殺菌される。特にオゾン発生器１８Dから発生するオゾンは、最近の研究では適度の濃度のオゾンを病院の待合室で放出することで、コロナ菌対策として実用化されつつあり、本願発明でも有用と考えられる。そしてその後にこの冷涼かつ高度に殺菌された外部空気は、固定送風パイプ３０、各客席近傍に設置された複数個の送風チューブ接続口３１、そして乗客の送風チューブ２０を経由して各乗客のマスク内面と唇および鼻腔の間のマスク間隙空間へ送風される。またファン型の送風部本体１０Aでは、駆動モータの発熱がそのまま送風チューブに送出され易いため、モータとファンとは相互間で断熱構造とするのが好ましい。
【００１６】
次に図４（B）に示す送風部本体（ブロワ型）１０Bでも基本的には同一の構成ではあるが、この例では交番磁力を発生させる電磁駆動部１３、この発生させた磁力により振動するバイブレーション部１５、そしてこのバイブレーション部の振動により容積変化させるダイヤフラムを振動させて空気を押し出すダイヤフラムポンプ部１６、がそれぞれ用いられる。これ等はすべて従来技術と異なることはない。この他にも種々の異なるブロワ型の送風器が存在するがタイプは問わない。いずれの構成でもファン型と比較すると内部風圧を高くすることが可能であり、接続する送風チューブ２０が比較的細い場合には、より高い内部風圧が要求されるためブロワ型の送風器（圧縮器）が用いられる。一般に送風器内部が圧力比1.1以下となる場合にはファンが用いられ、それ以上の圧力比の場合はブロワ型が用いられる。この送風器内部の圧力比は接続される送風チューブのサイズ（断面積）と接続する送風チューブ接続口３１の数すなわち客席数、そして送出空気量により異なるため、ファン型またはブロワ型のいずれを用いるかは設計事項である。なお一般には「送風器」の圧力比が、2.0以下を指称するが、大規模施設用送風システム１が更に大型化してそれ以上の圧力比を必要とする場合はコンプレッサが用いられる。このコンプレッサを使用するか否かの選択も設計事項であり、本願ではこれ等すべてを「送風器」と指称する。またこのブロワ型の送風部本体１０Bでも、電磁駆動部１３からの発熱を取込まず外部の冷涼な空気のみ送風する構成となっている。この点で上述の特開2005-165242号の構成がモータの発熱を無用に取込んでしまう構成とは異なる。
【００１７】
バスの既設エアコンとは異なり、図２に示すように送風部本体１０は運転手の近くに置かれており、その送風部本体１０に取付けられた使い捨て除菌フィルター１７Aは運転手により管理され、頻繁に交換される。これに対し通常のエアコンの場合は、エアコン装置のフィルターを運転手が頻繁に交換することはなく、またそのフィルターは主として防塵用フィルターであって除菌フィルターではない点で、本願発明の使い捨て除菌フィルター１７Aとは異なる。また既設エアコンからの外部空気は乗客全員に一斉に提供されるが、本願発明では個々人へ個々に除菌済の外部空気が提供される点で異なる。なお送風チューブ接続口３１には内部へ開放する弁体があり、送風チューブ２０が挿入された時のみに除菌済み外部空気を噴出し、送風チューブ２０が取外されると弁体は風圧で閉じる構成となっている。
【００１８】
また図３、図４に示す使い捨て除菌フィルター１７Aで除菌され、固定送風パイプ３０を介して各客席近傍に設置された複数個の送風チューブ接続口３１へ送風される外部空気の送出量は、乗客の椅子の数に対応する十分な送風容量とする。なお一般にマスク内の呼気（口からの排気）を排除するためには、使い捨て除菌フィルター１７Aを通して例えば1.5L〜２L／分／人の除菌済み外部空気を噴出すれば足りる。この空気噴出量は、例えば中サイズの金魚鉢へ気泡供給するために用いられる金魚用小型ブロワと略同一であり比較的小さな噴出量である。しかしながら観光バスのようにエアコンが完備されているとはいえ密接空間で使用される大規模施設用送風システム１では、それ以上に、人間の平均的吸気8L〜10L／分／人の全てをこの除菌済み外部空気で賄うようにする。この様に本願発明に係る大規模施設用送風システム１によって、マスク装着者全員の吸気全部に相当する除菌済の外部空気をマスク間隙空間へ供給する構成は、例えばコロナ対策上、乗客に安心感を与えるため他社の観光バスとの差別化戦略上も有利となる利点を有する。その理由は、仮に観光バスのエアコンをフル稼働させて新鮮な外部空気を車内に取入れたとしても、車内にコロナ感染者が一人でも同乗していれば、その感染者の呼気は車内空気が入れ替わる前に、車内に拡散する危険性が残るからである。この点、本願発明による大規模施設用送風システム１では、除菌済み外部空気のみが送風チューブ２０を介して乗客の個々人へ個別に供給されるため、安心感を与えることが可能となる。更に外部空気量の多少のみでなく、使用する除菌フィルター自体の除菌レベルについても、通常の除菌フィルターより高性能除菌フィルターを使用し、その旨を乗客に告知すれば、その高性能除菌フィルターの使用を営業ツールとして積極的に乗客にアピールでき、他社の観光バスとの差別化戦略上も有利となる利点を有する。
【００１９】
なお送風部本体１０の制御部（風量調節つまみ）を調整しマスク間隙空間に適度の送風圧を掛けることで、マスク間隙空間はマスクの外と比較して正圧状態となりウイルスの侵入を防止できる。またこの送風圧により装着するマスク内面を、唇および鼻腔から離れる方向に適度に膨らませ、マスク内面が顔面に直接接触する接触面を減少させることでマスク内面を常に清潔に使用することができる。更にまたこの送風圧により、マスク間隙空間に自分の呼気が籠るのを防止することできる。なお当然ながら膨らんだマスク面は、他人から直接浴びる飛沫等を防御することができる。上記送風チューブ接続口３１に挿入する送風チューブ２０は、例えば塩化ビニール樹脂製の長さ略１ｍ、太さ略５〜１０ｍｍ程度の部材であり非常に安価である。したがってバス会社が無償で送風チューブ２０を乗客に提供してもよく、また更に送風チューブ接続口３１のサイズが標準化されれば、いわゆるMyチューブとして各人が持ち歩くことがNewノーマルの時代になる可能性もあり得る。
【００２０】
使い捨て除菌フィルター１７Aは、カセット式の専用除菌フィルターでも良いし、或いはシート状の汎用シートでも良い。この除菌フィルターの除菌性能は、一般の家庭用マスクまたは医療用のN95と同程度またはそれ以上とする。このためマスク１００のマスク間隙空間へは除菌された冷涼な空気が噴出されることになる。したがって本願発明の送風装置１Aから送出された除菌済み外部空気が、装着したマスクが本来有する除菌性能を棄損することはあり得ない。使い捨て除菌フィルター１７Aのサイズは可能な範囲で大きく取り、除菌性能を高めるのがよい。なお図３ではシート状の使い捨て除菌フィルター１７Aが図示されているが、当然、掃除機等で一般的に使用されている蛇腹状のカセット式フィルターでもよい。
【００２１】
次に図５には、図１に示す実施例１に係る送風チューブ２０とは異なり、ネック固定子２２により送風チューブ２０を固定する実施例２に係るネック式送風チューブ２０Aの構成を示している。すなわち上述のように、マスク間隙空間へ図１に示す送風チューブ２０を挿入すれば、この挿入した送風チューブ２０は装着したマスク端の顔面に対する押圧力で押圧保持され、先端の空気噴出口２１は前記マスク間隙空間の適切な位置に緩く固定される。ただしこの送風チューブ２０を装着中に通常よりは激しい動きをする場合も考えられる。そこで図５に示すように、首に巻き付けたネック固定子２２に送風チューブ２０を遊動自在に取り付けたネック式送風チューブ２０Aでは、こうした場合にも更に安定的に送風チューブ２０を所定の位置に緩く固定することが可能である。すなわちマスク装着者は送風チューブ２０をマスク１００と顎の間から差込み、口元に至る顔面形状に沿うように滑らせて口および鼻腔の間のマスク間隙空間へ挿入し、その後ネック固定子２２を首に巻き付けて安定固定する。このネック固定子２２は適度の柔軟性を有する素材で作られており、自在に首周りに緩く巻き付け可能である。そしてこのネック固定子２２に遊動自在に取り付けられた送風チューブ２０を微調整して、先端の空気噴出口２１が唇と鼻孔周辺の適切な位置に来るようにする。これによりマスク端の顔面に対する押圧力だけで押圧保持する場合よりも、更に安定して送風チューブ２０を装着することが可能となる。なおこの場合ネック固定子２２だけは視認されるが、送風チューブ２０の先端部分は、マスク１００で覆い隠されるため外見上も違和感は無いという利点を有する。
【００２２】
次に図６（A）は、図１に示す実施例１に係る送風チューブ２０をマスク内部に収納したインナーフレーム・ユニット２０B-4で固定装着した実施例３に係るインナーフレーム式送風チューブ２０Bの正面装着図である。図６（B）はマスク内の断面斜視図であり、向かって右側が顔面側で、左側がマスク側である。インナーフレーム・ユニット２０B-4は、カップ形状のフレームであり、マスク内面と唇および鼻腔の間に間隙空間を確保するためにマスク内に収納して、装着したマスク面の顔面に対する押圧力で押圧保持される。このインナーフレーム・ユニット２０B-4は、顔面に当接する顔面当接リング２０B-1と、間隙空間を確保するための複数本の凸曲線フレーム２０B-2、そして送風チューブ２０を保持する送風チューブ固定子２０B-3、で構成される。顔面当接リング２０B-1は、図示しないが鼻筋部分と顎部分はピッタリと接するために曲部を有する。屈曲自在の素材で作り、各自の顔面に合わせて曲げられる塩ビ等の素材を用いてもよい。送風チューブ２０の装着方法は、送風チューブ２０を送風チューブ固定子２０B-3で挟むようにして固定し、インナーフレーム・ユニット２０B-4をマスク１００で覆いマスク内に安定装着する。これによりマスク内で送風チューブ２０を安定的に保持することが可能となる。
【００２３】
次に図７（A）は、図１に示す実施例１に係る送風チューブ２０とは異なり、送風チューブ２０に接続した空気噴出チューブ２４を用いた実施例４に係る紐カニューレ式送風チューブ２０Cの構成を示している。空気噴出チューブ２４は図７（B）に示すようにマスク１００の内側（顔面側）に収納できる程度の長さであり、両耳に耳掛け紐２３により安定した状態で上唇と鼻の間に横方向に装着するように構成されている。この紐カニューレ・ユニット２５（空気噴出チューブ２４）もマスク１００で覆われるため、外見上は耳掛け紐２３以外は見えない構造となっており、スタイルを気にする女性にとっても自然な装着感が得られる。このように紐カニューレ式送風チューブ２０Cでは、プロング（nasal prong）を鼻腔に挿入して酸素を投与する一般の医療用鼻カニューレとは異なり、プロングは無く、その代わりに送風チューブ２０に接続する空気噴出チューブ２４が使用される。この実施例では、上唇または顎に当接する横方向の空気噴出チューブ２４に複数個の空気噴出口群２６を設けている。そしてこの空気噴出口群２６から顔面にフィルター済の新鮮な外部空気を常時噴出させることで、マスク空間に籠ったマスク装着者自身の呼気を排除し、更に吸気に相当する外部空気が供給されるように構成されている。この空気噴出チューブ２４の素材は、送風チューブ２０と同様に例えば屈曲自在かつ軽量の塩化ビニール樹脂等を用いることで、顔面形状に沿うように折り曲げ可能であり、かつその形状を維持できる素材を用いる。このために外見からは、紐カニューレ式送風チューブ２０Cの上を覆ったマスク１００の表面が、不自然に角張って見えることもなく自然の装着感が得られる。
【００２４】
更に図８は、図７に示す実施例４に係る空気噴出チューブ２４を使用する紐カニューレ式送風チューブ２０Cとは異なり、空気噴出チューブ２４は使用しない。それに代わりに送風チューブ２０に接続する第５実施例に係る耳カニューレ・ユニット２８が使用される。この実施例では、プロング（nasal prong）を鼻腔に挿入して酸素を投与する医療用の鼻カニューレと比べるとプロングが無く、その代わりに上唇と鼻孔の間に当接する耳カニューレ・ユニット２８の中央部付近の一部を空気噴出カニューレ２７として、この部分に図示しない複数の空気噴出口群が設けられている。その他は医療用の鼻カニューレと同様に、チューブを耳に掛けて装着する構成となっている。
【産業上の利用可能性】
【００２５】
新型コロナウイルスにより観光バスや大型施設での乗客や観客の大幅減少は、現在、営業的にも大きな問題である。観光バスの乗客に対する既存のエアコンによる新鮮な外部空気の提供は、従来から当然行われており、快適な環境づくりには重要ではある。ただしその中に一人でもウイルス保菌者が混在すればエアコンによる空気拡散は、逆にウイルスを拡散させる結果となり易い。したがって防疫上は単にエアコンのように全員に対し外部空気を供給するのではなく、乗客の個々人へ個別に、「除菌フィルターによる除菌済み外部空気（車外空気、観客席外空気）」を提供する必要がある。今後、新型コロナウイルス対応だけでなく社会的な無菌志向の時代には、本願発明に係る大規模施設用送風システム１による乗客やその他の施設利用者個々人に対する「除菌フィルターによる除菌済み外部空気」の提供は、乗客確保や施設利用者確保のための重要な営業ツールになり得る可能性を有する。
【符号の説明】
【００２６】
１      大規模施設用送風システム
１０    送風部本体
１７A   使い捨て除菌フィルター
１７D   外部空気取入口（粉塵フィルター付き）
２０    送風チューブ
２０A   ネック式送風チューブ              
２２    ネック固定子
２０B   インナーフレーム式送風チューブ  
２４B-4インナーフレーム・ユニット
２０C   紐カニューレ式送風チューブ      
２５    紐カニューレ・ユニット
２０D   耳カニューレ式送風チューブ        
２８    耳カニューレ・ユニット
２６    空気噴出口群
３０    固定送風パイプ
３１    送風チューブ接続口
【要約】
【課題】  密接空間である観光バスや映画館等の大規模施設内を自由浮遊する0.1マイクロメータ程度のエアロゾル・コロナウイルス等は、乗客や観客が家庭用不織布マスクはもとよりN95マスク等の医療用高性能除菌マスクを使用しても、完全には防ぐ手段が無かった。
【解決手段】  (i)少なくとも家庭用マスクあるいは医療用高性能除菌マスクと同程度のウイルス除去性能を有する使い捨て除菌フィルターを通した外部空気（車外空気、観客席外空気等）を送出する送風部本体と、(ii)上記使い捨て除菌フィルターを通した外部空気を、各客席近傍に固定配置されている送風チューブ接続口まで供給する固定送風パイプと、(iii)この送風チューブ接続口へ差込み、マスク内のマスク間隙空間へ外部空気を送風する送風チューブで構成される大規模施設用送風システムを開示する。
【選択図】図１【図１】
0006792925.tif 000002
【図２】
0006792925.tif 000003
【図３】
0006792925.tif 000004
【図４】
0006792925.tif 000005
【図５】
0006792925.tif 000006
【図６】
0006792925.tif 000007
【図７】
0006792925.tif 000008
【図８】
0006792925.tif 000009